(57)【要約】【課題】低コストで製造できるとともに、高い冷却性能を有するヒートシンクの提供を課題とする。【解決手段】発熱体２０が取り付けられるとともに、内部が空洞Ｓとされた筐体１２と、筐体１２内に配置され、筐体１２内を流れる流体の流路２８を形成するスペーサー３０と、を備えたヒートシンク１０であって、流路２８を、発熱体２０の長手方向に対し、ほぼ同一の断面形状とするとともに、筐体１２の発熱体２０が取り付けられている領域Ｇに対し、流体を衝突可能に構成する。【選択図】図３
2007150203.tif 000002
【特許請求の範囲】
【請求項１】
発熱体が取り付けられるとともに、内部が空洞とされた筐体と、
前記筐体内に配置され、該筐体内を流れる流体の流路を形成するスペーサーと、
を備え、
前記流路が、前記発熱体の長手方向に対し、ほぼ同一の断面形状とされるとともに、前記筐体の前記発熱体が取り付けられている領域に対し、前記流体を衝突可能に構成されていることを特徴とするヒートシンク。
【請求項２】
前記発熱体よりも上流側の流路に、流路屈曲部を形成したことを特徴とする請求項１に記載のヒートシンク。
【請求項３】
前記流路屈曲部が、複数形成されていることを特徴とする請求項２に記載のヒートシンク。
【請求項４】
前記流路屈曲部のうち、最も上流側に形成された流路屈曲部は、上流側から下流側に向かって流路断面積が減少する流路縮小部と接続されていることを特徴とする請求項３に記載のヒートシンク。
【請求項５】
前記領域から前記流路縮小部までの距離は、該流路縮小部によって生成された乱流が減衰しない距離とされていることを特徴とする請求項４に記載のヒートシンク。
【請求項６】
前記発熱体よりも下流側の流路に、流路拡大部を形成したことを特徴とする請求項１乃至請求項５の何れか１項に記載のヒートシンク。
【請求項７】
前記領域は、熱拡散領域と連設されていることを特徴とする請求項１乃至請求項６の何れか１項に記載のヒートシンク。
【請求項８】
前記熱拡散領域は、少なくとも前記発熱体の上流側及び下流側に設けられていることを特徴とする請求項７に記載のヒートシンク。
【請求項９】
前記熱拡散領域は、前記流路に接していることを特徴とする請求項７又は請求項８に記載のヒートシンク。
【請求項１０】
前記領域近傍の前記流路に、フィンを設けたことを特徴とする請求項１乃至請求項９の何れか１項に記載のヒートシンク。
【請求項１１】
前記フィンは、多孔質金属で形成されていることを特徴とする請求項１０に記載のヒートシンク。
【発明の詳細な説明】
【技術分野】
【０００１】
本発明は、単位面積当たりの発熱量が大きい微小発熱体を冷却可能なヒートシンクに関する。
【背景技術】
【０００２】
電気−光変換効率が４０％〜５０％である半導体レーザーバーの発光素子内部では、出力と同等の発熱が生じる。発光素子のサイズは、幅１．０ｍｍ〜２．０ｍｍ、長さ１０ｍｍ程度であるため、単位面積当たりの発熱量（以下「発熱密度」という）は非常に大きく、発光素子の小型化の進展により、その発熱密度が増加する傾向にある。また、発光素子は、熱容量（体積）が小さいため、少ない発熱量でも、大きな温度上昇を伴うが、その温度上昇量が低ければ低いほど、損失は低減し、寿命も長くなる。したがって、半導体レーザーバーの発光素子等の発熱体の温度上昇量を低減できる高い冷却性能を有するヒートシンクが必要となっている。
【０００３】
ヒートシンクの除熱能力は、冷媒が流れる流路（冷却流路）の流路面積や、冷却流路を構成する壁面（流路壁面）の温度勾配に比例する。流路壁面の温度勾配は、冷却流路の流路幅を小さくするほど大きくなる。また、流路面積は、流路幅が小さな微細流路を集積化すれば増大する。したがって、微小発熱体の冷却に関する従来技術では、ヒートシンク内に、集積化した微細流路を形成し、その微細流路内に冷却水（冷媒）を流す方式のものが多い。
【０００４】
例えば、周面に多数の小孔を有する冷媒供給用のパイプが、ヒートシンク内に挿入され、冷媒としての冷却水が、その流路断面積の小さな小孔を通過することにより、微細な高速噴流として、被冷却部に吹き付けられる構成とされたものがある（例えば、特許文献１参照）。これによれば、流速が増加された冷却水が、被冷却部に衝突するので、高い冷却性能が得られる。しかしながら、このヒートシンクを構成するには、例えば直径０．５ｍｍのパイプ周面に、直径０．３ｍｍの円孔群を有する円形のパイプが必要となる。つまり、その製造工程は、化学エッチング、レーザー切断、ダイヤモンド研磨を施した鋼鉄シートの拡散接合からなるため、製造工程が複雑であり、製造コストが増加するという問題がある。
【０００５】
また、ヒートシンク内におけるパイプの設置位置が、設定位置から０．１ｍｍ以上ずれると、被冷却部に強い流れが衝突する領域が狭くなり、冷却性能の低下を招く。したがって、パイプの設置位置には、０．１ｍｍ以上の精度が必要となる問題があり、ヒートシンクの組み付けコストが増加する問題がある。更に、冷却水の流入部から流出部に至る流路において、流路幅が最も小さくなる領域では、冷却水の流れに大きな圧力損失が生じる。この圧力損失の大きさは、最小流路幅の２乗に反比例する。したがって、冷却水が小孔を通過するときに、大きな圧力損失が生じ、その結果、冷却水を流動させるための動力が増加するという問題がある。
【０００６】
一方、発光素子（発熱体）の直下で、かつ発光素子の長手方向と平行に形成された冷却部を有するヒートシンクが知られている（例えば、特許文献２参照）。このヒートシンクでは、導入路を流れてきた冷媒が、発光素子直下の側壁に衝突し、冷却部を介して排出路から排出される構成を採っており、衝突によって、発光素子と冷媒側との熱交換の促進を図っている。しかしながら、このような構成では、冷却水の温度は、冷却部の入口からの距離とともに上昇する。その結果、発光素子を均一に冷却することが困難となり、発光素子内部に温度分布が発生する。このような温度分布の発生は、熱応力発生の原因となり、発光素子の劣化に直結する。
【０００７】
また、冷媒は、発光素子が設置されているヒートシンクの上板ではなく、その直下の側壁に衝突するため、発光素子から発せられる熱は、上板を経由して側壁にて放熱される。その結果、発光素子から冷媒に至る放熱経路が長くなり、ヒートシンク中の熱伝導による熱抵抗が増加する。その結果、発熱部である上板と放熱部である側壁との温度差が増加し、側壁に衝突することによって得られる高い熱伝達率が、高い冷却性能に直結しないという問題がある。つまり、発光素子の温度上昇量の方が大きくなり、発光素子を低い温度に保つことが困難になる。更に、このヒートシンクでは、側壁に衝突させる前に、冷媒の流路を細くする微細流路が形成されているが、この微細流路を形成するには、複数のスリット板を挿入し、そのスリット板と上板とを接合する必要がある。つまり、ヒートシンクの製造コストが増加する問題もある。
【０００８】
他方、流入口から流入した冷媒が、発光素子の直下で、かつ発光素子の長手方向と平行に形成された冷却流路を通過して、流出口から流出し、更に流入口及び流出口と冷却流路との間に屈曲部が形成されるとともに、上流側屈曲部と発光素子との距離が、下流側屈曲部と発光素子との距離よりも短く設定されているヒートシンクが知られている（例えば、特許文献３参照）。このヒートシンクによれば、冷媒の流れは、上流側屈曲部を通過時に乱流状態になる。その結果、発光素子直下の冷媒の流れは、乱流状態が維持され、ヒートシンクと冷媒の熱交換が促進される。このように、発光素子からの除熱が、除熱能力の大きな乱流状態で行われるため、層流状態で除熱が行われるヒートシンクよりも除熱性能は高くなる。
【０００９】
しかしながら、発光素子直下の領域では、冷媒は、発光素子の長手方向と平行な方向に流れるため、発光素子から除熱した熱により、発光素子の長手方向の距離（流れ方向の距離）とともに、冷媒の温度が上昇する問題がある。そのため、発光素子の長手方向に、発光素子からの除熱流束（単位面積当たりの除熱量）が変化するという問題がある。更に、乱流状態を維持するには、平均流からエネルギー供給を受ける必要があり、そのエネルギー供給量は流路内流速分布の速度勾配に比例する。平均流からのエネルギー供給量が低下すると、乱れ運動エネルギー（以下「乱れ」という）は急速に減衰する。
【００１０】
発光素子直下の領域では、流路形状が直線状であるため、乱れ生成部である屈曲部よりも速度勾配が小さく、乱れを維持することが困難になる。つまり、発光素子直下の領域では、平均流から充分なエネルギー供給がなされないため、屈曲部で発生した乱れは、屈曲部からの距離とともに急速に減衰する（発光素子の長手方向の位置により、乱れの大きさが変化する）。その結果、乱れによる伝熱促進効果（熱交換の促進代）は、長手方向に均一ではなくなり、流れ方向の距離とともに低下するおそれがある。発光素子の均一な冷却が困難になり、発光素子内部に温度分布が発生すると、熱応力の発生を招き、寿命や信頼性低下の原因となる（発光素子の劣化要因となる）。
【００１１】
また、この場合も、冷媒の流れは、発光素子が設置されているヒートシンクの上板ではなく、その直下の側壁に衝突する。したがって、発光素子の発熱は、上板を経由して、側壁に熱伝導した後、冷媒側に放熱される。そのため、ヒートシンク内の放熱経路が長くなり、熱伝導による熱抵抗が増加する。これにより、冷却性能の向上代は、流路壁面への衝突による熱伝達率の向上代より小さくなる。更に、乱れを用いた伝熱促進では、ヒートシンクの壁面の温度が最も高くなる領域、即ち発光素子が接している上板近傍に乱れを供給することが重要である。ヒートシンクの側壁への流れの衝突により、側壁近傍へは乱れが供給されるが、上板近傍へは乱れが供給されない（乱れを輸送する手段を有していない）。したがって、乱れによる伝熱促進効果や、冷媒流れの衝突効果は小さくなる。
【００１２】
また、微細流路を形成した薄板を４枚以上積層することによって構成されるヒートシンクが知られている（例えば、特許文献４参照）。このヒートシンクでは、微細流路を集積化し、冷却流路の伝熱面積を拡大することにより、小さな温度差で多くの熱を冷却水側に放熱できるようにし、発光素子の温度上昇を低減させるようにしている。すなわち、伝熱面積の拡大効果を利用するため、微細流路を形成した薄板を積層した構造を採っている。しかしながら、微細流路を形成するには、薄板へのプレス加工やエッチング処理が必要となり、中間層には、薄板の両面に冷却流路を形成する必要がある。
【００１３】
薄板の役割は積層位置により異なっている。具体的には、冷却水流入出部となる薄板、発光素子の発熱を下部の薄板に拡散させる薄板、冷却水との熱交換を行う薄板などである。このため、薄板に形成する微細流路の流路形状は、積層方向に同一形状ではなく、位置により変える必要がある。よって、異なった形状の微細流路を形成した３種類、４枚以上の薄板が必要となり、部品点数や種類が増加して、ヒートシンクの加工コストが増加するという問題がある。また、半田接合や拡散接合することによってヒートシンクを形成するため、その製造工程が複雑となり、製造コストが増加する問題もある。更に、下位層の冷却流路において、発光素子の発熱を冷却水側に放熱させるためには、上位層の薄板を熱伝導させる必要がある。その結果、発光素子から冷却水までの放熱経路が長くなり、熱抵抗が増加する問題がある。多くの熱を放熱させるためには、より大きな温度差が必要となるため、発光素子の温度を低減させることが困難になる。
【００１４】
また、ヒートシンクを冷却用基板に取り付ける構造も知られている（例えば、特許文献５参照）。この場合、発光素子から熱拡散領域に拡散してきた熱を除熱する手段をヒートシンクは有していない。したがって、ヒートシンクと冷却用基板の間の接触熱抵抗の存在により、冷却能力が制限されてしまうという問題がある。また、大きな発熱密度を有する微小発熱体の冷却技術としては、シリコン基板や銅製シートに形成した微細流路内に冷却用流体（冷媒）を流すマイクロチャンネル方式がある。マイクロチャンネル方式では、微細な冷却流路を形成するための特殊加工が必要であり、ヒートシンクの加工コストが増加する問題がある。また、微細流路内に冷媒を流動させるためには、冷媒をマイクロチャンネル内に高圧で流入させる必要があり、冷媒流動用のポンプ動力が増加する問題もある。ポンプ動力の増加は、半導体レーザーバーを用いるシステム効率（総合効率）の低下に直結する。更に、微細流路内に高圧の冷媒を流動させるため、流路の耐久性が課題となる。
【特許文献１】特開平８−１３９４７９号公報
【特許文献２】特開２００３−３１８３４３号公報
【特許文献３】特開２００４−１９３２２８号公報
【特許文献４】特開２００５−２０９８７４号公報
【特許文献５】特開２００２−３１４０１１号公報
【発明の開示】
【発明が解決しようとする課題】
【００１５】
そこで、本発明は、低コストで製造できるとともに、高い冷却性能を有するヒートシンクを得ることを目的とする。
【課題を解決するための手段】
【００１６】
上記の目的を達成するために、本発明に係る請求項１に記載のヒートシンクは、発熱体が取り付けられるとともに、内部が空洞とされた筐体と、前記筐体内に配置され、該筐体内を流れる流体の流路を形成するスペーサーと、を備え、前記流路が、前記発熱体の長手方向に対し、ほぼ同一の断面形状とされるとともに、前記筐体の前記発熱体が取り付けられている領域に対し、前記流体を衝突可能に構成されていることを特徴としている。
【００１７】
請求項１に記載の発明によれば、筐体に形成した空洞にスペーサーを挿入するだけで、冷却流路を形成することができる。つまり、空洞とスペーサーの間に形成される微細な空隙部を冷却流路として用いるため、特殊な加工等は不要となる。したがって、製造コストを低減することができる。また、発熱体が取り付けられている領域に流体を衝突させるので、発熱体から流体までの放熱経路が短い。したがって、流体の衝突による高い熱伝達率が利用でき、発熱体の温度を効率よく低減させることができる。更に、発熱体の長手方向に対して、ほぼ同一断面形状を有する冷却流路が形成されるので、発熱体が取り付けられている領域では、発熱体の長手方向に対し、流体の流速や温度、乱れが均一となる。これにより、発熱体を均一に冷却することが可能となり、発光素子の劣化要因となる素子内部の温度分布の発生を防止することができる。
【００１８】
また、請求項２に記載のヒートシンクは、請求項１に記載のヒートシンクにおいて、前記発熱体よりも上流側の流路に、流路屈曲部を形成したことを特徴としている。そして、請求項３に記載のヒートシンクは、請求項２に記載のヒートシンクにおいて、前記流路屈曲部が、複数形成されていることを特徴としている。
【００１９】
請求項２及び請求項３に記載の発明によれば、発熱体よりも上流側に流路屈曲部が形成されているので、この流路屈曲部を流体が通過することにより、強い乱れを生じさせることができる。そして、この乱れが、発熱体が取り付けられている領域に供給されるので、冷却性能を向上させることができる。つまり、これにより、ヒートシンクと流体との熱交換を促進することができる。
【００２０】
また、請求項４に記載のヒートシンクは、請求項３に記載のヒートシンクにおいて、前記流路屈曲部のうち、最も上流側に形成された流路屈曲部が、上流側から下流側に向かって流路断面積が減少する流路縮小部と接続されていることを特徴としている。請求項４に記載の発明によれば、最も上流側に形成された流路屈曲部が流路縮小部と接続されているので、流路縮小部に続いて流路屈曲部を流体が通過することにより、更に強い乱れを生じさせることができる。そして、この乱れが、発熱体が取り付けられている領域に供給されるので、冷却性能を更に向上させることができる。つまり、これにより、ヒートシンクと流体との熱交換を更に促進することができる。
【００２１】
また、請求項５に記載のヒートシンクは、請求項４に記載のヒートシンクにおいて、前記領域から前記流路縮小部までの距離が、該流路縮小部によって生成された乱流が減衰しない距離とされていることを特徴としている。請求項５に記載の発明によれば、流体に生じた乱れが減衰しないので、高い冷却性能を維持することが可能となる。つまり、これにより、ヒートシンクと流体との熱交換を促進することができる。
【００２２】
また、請求項６に記載のヒートシンクは、請求項１乃至請求項５の何れか１項に記載のヒートシンクにおいて、前記発熱体よりも下流側の流路に、流路拡大部を形成したことを特徴としている。請求項６に記載の発明によれば、発熱体よりも下流側の流路に、流路拡大部を形成したので、圧力損失を低減することができる。発熱体より下流側の流路では、発熱体からの距離に比例して、冷却への寄与度は小さくなる。一方、圧力損失は冷却流路の流路長さに比例する。したがって、冷却に寄与しない発熱体の下流側では、流れ方向の距離とともに、冷却流路の流路面積を拡大させる。その結果、コストを増加させずに、圧力損失の低減、即ち流体流動用の動力を低減することができ、流路の耐久性も向上させることができる。
【００２３】
また、請求項７に記載のヒートシンクは、請求項１乃至請求項６の何れか１項に記載のヒートシンクにおいて、前記領域が、熱拡散領域と連設されていることを特徴としている。請求項７に記載の発明によれば、発熱体から発生した熱を熱拡散領域へ拡散させることにより、発熱体の温度を低減させることが可能となる。
【００２４】
また、請求項８に記載のヒートシンクは、請求項７に記載のヒートシンクにおいて、前記熱拡散領域が、少なくとも前記発熱体の上流側及び下流側に設けられていることを特徴としている。請求項８に記載の発明によれば、熱拡散領域が少なくとも２つ設けられているので、熱拡散領域における熱容量を確保することができる。したがって、発熱体の温度を更に低減することができる。
【００２５】
また、請求項９に記載のヒートシンクは、請求項７又は請求項８に記載のヒートシンクにおいて、前記熱拡散領域が、前記流路に接していることを特徴としている。請求項９に記載の発明によれば、熱拡散領域に伝熱した熱を流体側へ効率よく放熱することができる。したがって、ヒートシンクの冷却性能を向上させることができる。
【００２６】
また、請求項１０に記載のヒートシンクは、請求項１乃至請求項９の何れか１項に記載のヒートシンクにおいて、前記領域近傍の前記流路に、フィンを設けたことを特徴としている。請求項１０に記載の発明によれば、フィンによる伝熱面積の拡大効果により、流体への放熱が促進される。
【００２７】
また、請求項１１に記載のヒートシンクは、請求項１０に記載のヒートシンクにおいて、前記フィンが、多孔質金属で形成されていることを特徴としている。請求項１１に記載の発明によれば、多孔質金属は、非常に大きな伝熱面積を有するので、伝熱面積の拡大効果を促進することができる。
【発明の効果】
【００２８】
以上のように、本発明によれば、低コストで製造できるとともに、高い冷却性能を有するヒートシンクを提供することができる。
【発明を実施するための最良の形態】
【００２９】
以下、本発明の最良な実施の形態について、図面に示す実施例（第１実施例〜第１２実施例）を基に詳細に説明する。なお、冷却対象（被冷却体）である微小発熱体の例として、半導体レーザーバーの発光素子を採り上げるが、冷却対象は発光素子に限定されない。また、冷却用流体（冷媒）の例として、冷却水を採り上げるが、冷却効果を奏するものであればよく、水に限定されない。
【００３０】
［第１実施例］
まず最初に、第１実施例について説明する。図１には半導体レーザーバー２０（発光素子）と、その冷却系であるヒートシンク１０の斜視図が示されている。なお、第１実施例〜第７実施例（図１〜図２０）で説明するヒートシンク１０は、集光系が分離している場合に適用する冷却系であり、発熱密度が大きな半導体機器や電子機器等の冷却にも適用可能になっている。また、図１において、半導体レーザーバー２０の長手方向をヒートシンク１０の左右方向とし、矢印Ａ方向を右方向とする。そして、この矢印Ａ方向と直交する矢印Ｂ方向、矢印Ｃ方向を、それぞれ前方向、上方向とする。したがって、第１実施例〜第７実施例においては、上記矢印に対応して左右、前後、上下の表現をする。また、図２はヒートシンク１０の背面図であり、図３はヒートシンク１０の内部構成を示す図２のＩ−Ｉ線矢視断面図である。
【００３１】
図１〜図３で示すように、ヒートシンク１０は、内部が空洞とされたヒートシンク本体としての銅製筐体１２と、その筐体１２の内部（以下「空洞部Ｓ」という場合がある）に配置され、筐体１２内（空洞部Ｓ）を流れる冷却水の冷却流路２８を形成するスペーサー３０と、筐体１２の蓋体１４とで構成されている。そして、図３で示すように、筐体１２の内部（空洞部Ｓ）やスペーサー３０の断面形状は、半導体レーザーバー２０の長手方向（左右方向）に対し、ほぼ同一形状とされている。
【００３２】
半導体レーザーバー２０は、筐体１２の上板１２Ｃ上に設置されている。すなわち、半導体レーザーバー２０は、筐体１２の上板１２Ｃの外壁面とサブマウント２２の一端との間に取り付けられ、サブマウント２２の他端は、絶縁板２４を介して筐体１２の上板１２Ｃに接続されている。そして、半導体レーザーバー２０は、サブマウント２２を通して、図示しない電極に接続されており、半導体レーザーバー２０から出射されたレーザービームＬは、図示しない集光レンズや光集束器などからなる集光系によって集光されるようになっている。
【００３３】
図４にはスペーサー３０が示されている。すなわち、図４（Ａ）はスペーサー３０の側断面図であり、図４（Ｂ）はスペーサー３０の平面図である。図４で示すように、スペーサー３０は、筐体１２の左右の側板１２Ａの内壁面と略同じ寸法（断面形状）とされた一対の側板３２と、その側板３２の間に架設（連設）された流路形成部３４とを有している。この一対の側板３２が、スペーサー３０を筐体１２内（空洞部Ｓ）に挿設したときに、その筐体１２の前板１２Ｂの内壁面に当接することにより、筐体１２に対するスペーサー３０の位置決めができるようになっている。そして、スペーサー３０は、蓋体１４を筐体１２に装着することによって固定されるようになっている。
【００３４】
また、流路形成部３４の下側の空間が冷却水の流入口側とされ、上側の空間が冷却水の流出口側とされており、図２で示すように、蓋体１４には、筐体１２に装着したときに（スペーサー３０を固定したときに）、流路形成部３４の下側の空間に対応する位置と、上側の空間に対応する位置に、それぞれ流入口１６、流出口１８となる開口が左右方向に長い長方形状に穿設されている。また、図３で示すように、流路形成部３４の断面形状と筐体１２（空洞部Ｓ）の断面形状により、冷却水の冷却流路２８が規定されるようになっている。
【００３５】
すなわち、一対の側板３２の内壁面と、流路形成部３４の表面と、空洞部Ｓ（上板１２Ｃの内壁面、前板１２Ｂの内壁面、下板１２Ｄの内壁面）との間の空隙が冷却流路２８になっている。そして、流路形成部３４の前端面は鉛直流路形成面３６とされ、上端面は水平流路形成面３８とされている。つまり、筐体１２内（空洞部Ｓ）において、前板１２Ｂの内壁面と鉛直流路形成面３６とで鉛直流路２８Ａの流路形状が規定され、前板１２Ｂの内壁面と鉛直流路形成面３６との距離が鉛直流路２８Ａの流路幅Ｔ１（図４（Ａ）参照）とされている。同様に、上板１２Ｃの内壁面と水平流路形成面３８とで水平流路２８Ｂの流路形状が規定され、上板１２Ｃの内壁面と水平流路形成面３８との距離が水平流路２８Ｂの流路幅Ｔ２（図４（Ａ）参照）とされている。
【００３６】
このようにして、半導体レーザーバー２０の長手方向に対し、ほぼ同一の断面形状を有する冷却流路２８が形成されるので、半導体レーザーバー２０を均一に冷却でき、その温度を均一にすることが可能となる。なお、ここでは、鉛直流路２８Ａの流路幅Ｔ１と水平流路２８Ｂの流路幅Ｔ２は同一（Ｔ１＝Ｔ２）としているが、これに限定されない。また、スペーサー３０の前下部には、流れの剥離（淀み）域が発生することによる圧力損失を低減するため、面取り部４０が形成されている。
【００３７】
また、図２で示すように、流入口１６及び流出口１８の左右方向の長さ（横幅）Ｗ１は、半導体レーザーバー２０の長手方向の長さ（横幅）Ｗ２よりも長くされている。更に、流路形成部３４の左右方向の長さ（横幅）Ｔ３（図４（Ｂ）参照）は、流入口１６及び流出口１８の左右方向の長さ（横幅）Ｗ１と同一（Ｔ３＝Ｗ１）とされ、冷却流路２８の左右方向の長さ（横幅）と等しくされている。そして、スペーサー３０の側板３２を含む左右方向の長さ（横幅）Ｔ４（図４（Ｂ）参照）は、筐体１２内（空洞部Ｓ）の左右方向の長さ（横幅）Ｗ３より僅かに小さくされている。つまり、筐体１２内（空洞部Ｓ）の左右方向の長さ（横幅）Ｗ３は、スペーサー３０が摺接しつつ挿入可能な程度な長さに形成されている。
【００３８】
なお、ヒートシンク１０の空洞部Ｓとスペーサー３０の間に形成される空隙を冷却流路２８とすることから、空洞部Ｓやスペーサー３０の断面形状を変化させることにより、多様な形状を有する冷却流路２８を構成することが可能である。例えば、スペーサー３０の鉛直流路形成面３６や水平流路形成面３８に傾斜面を形成することにより、冷却流路２８に流路縮小部や流路拡大部を設けることができる。このように、冷却流路２８の流路形状は自由度が大きく、流路縮小部については第２実施例〜第４実施例等で、流路拡大部については第５実施例で、それぞれ説明する。
【００３９】
また、このヒートシンク１０においては、図５で示すように、スペーサー３０と蓋体１４を一体に形成してもよい。この場合は、一対の側板３２は不要となる。つまり、蓋体１４の周縁部１４Ａが筐体１２の開口縁部１３に当接することにより、筐体１２に対するスペーサー３０の位置決めができる。何れにしても、スペーサー３０によって、冷却水の流路、即ち半導体レーザーバー２０の長手方向に対し、ほぼ同一の断面形状となる冷却流路２８が規定される構成である。
【００４０】
以上のようなヒートシンク１０において、次にその作用について、冷却水の流れ方向を逆にした場合と比較して説明する。図６の矢印Ｆで示すように、冷却水は、通常蓋体１４の下部に形成された流入口１６から流入し、空洞部Ｓと流路形成部３４によって規定された冷却流路２８を通って、蓋体１４の上部に形成された流出口１８から排出される。冷却流路２８は、半導体レーザーバー２０の近傍では鉛直流路２８Ａと水平流路２８Ｂが交差している。流入口１６から流入した冷却水は、下部の水平流路２８Ｃを経由して、鉛直流路２８Ａに入り、上昇する。そして、図７（Ａ）で示すように、被冷却部である半導体レーザーバー２０（発光素子）直下の上板１２Ｃの内壁面（領域Ｇ）に衝突する。衝突後は、水平流路２８Ｂを経由して流出口１８から排出される。
【００４１】
このように、半導体レーザーバー２０（発光素子）直下の領域Ｇに冷却水の流れを衝突させるために、冷却水をヒートシンク１０の下部から流入させている（以下「順方向流れ」という）。つまり、順方向流れの場合は、半導体レーザーバー２０（発光素子）直下の領域Ｇ（被冷却部）に冷却水流れを衝突させることができるので、半導体レーザーバー２０（発光素子）の発熱が効率的に除熱される。
【００４２】
一方、図６の矢印Ｒで示すように、蓋体１４の上部に形成された流出口１８（この場合は流入口となる）から冷却水を流入させる場合（以下「逆方向流れ」という）、図７（Ｂ）で示すように、冷却水の流れは、筐体１２の前板１２Ｂの内壁面に衝突する。すなわち、半導体レーザーバー２０で生じた熱は、ヒートシンク１０（筐体１２）中を熱伝導により移動し、冷却流路２８を構成する前板１２Ｂの内壁面上で、冷却水側へ放熱される。
【００４３】
ヒートシンク１０の冷却性能を示す指標に熱抵抗値がある。熱抵抗値とは、被冷却部（領域Ｇ）と冷却水の温度差と、被冷却部（領域Ｇ）における発熱量の比であり、値（比）が小さなヒートシンク１０ほど、冷却性能が高いことを示す。この過程においては、発熱部から放熱部まで、ヒートシンク１０（筐体１２）中を熱伝導により熱が移動する際に生じる熱抵抗（熱伝導による熱抵抗）と、冷却水の流れとヒートシンク１０（筐体１２）の熱交換により生じる熱抵抗（熱伝達による熱抵抗）に分離できる。熱伝導による熱抵抗は、ヒートシンク１０の熱伝導率に反比例し、半導体レーザーバー２０から冷却水側への放熱部までの放熱経路の長さに比例する。
【００４４】
順方向流れの場合、逆方向流れより放熱経路が短くなる。そこで、冷却水の流れ方向（矢印Ｆ方向及び矢印Ｒ方向）が半導体レーザーバー２０の温度に及ぼす影響を、熱流れの数値シミュレーションにより検討した結果を図８に示す。つまり、ヒートシンク１０や半導体レーザーバー２０の筐体１２内熱伝導計算と、冷媒側の熱流れ計算の連成計算を実施した。半導体レーザーバー２０の内部の材料組成は考慮せず、単一の材質として扱った。冷媒として水を用い、その流量を２リットル／ｍｉｎとした。なお、ここに示した計算条件は、第２実施例以降の検討結果においても同一である。評価項目は、冷媒（冷却水）側の圧力損失と、半導体レーザーバー２０の発光素子の温度上昇量である。
【００４５】
図８で示すように、順方向流れ（矢印Ｆ方向）の場合は、逆方向流れ（矢印Ｒ方向）の場合よりも、半導体レーザーバー２０（発光素子）の温度上昇量を２１％低減させることが可能となる。放熱経路（図７において点線の矢印で示す）を比較すると、順方向流れの経路は、逆方向流れの経路より短い。したがって、熱伝導による熱抵抗が小さくなる。よって、順方向に冷却水を流した場合の方が、より低い温度まで半導体レーザーバー２０（発光素子）を冷却することが可能となる。逆方向流れの場合は、半導体レーザーバー２０（発光素子）が設置されたヒートシンク１０（筐体１２）の上板１２Ｃの内壁面（領域Ｇ）ではなく、冷却流路２８を構成する前板１２Ｂの内壁面に冷却水流れが衝突する。したがって、冷却水流れが衝突する前板１２Ｂ内壁面の所定の領域では、高い熱伝達率が得られ、熱伝達による熱抵抗を低減できる。
【００４６】
しかしながら、この逆方向流れの場合は、半導体レーザーバー２０（発光素子）の発熱が冷却水側へ放熱される放熱部が主に前板１２Ｂとなり、半導体レーザーバー２０（発光素子）で発生した熱を冷却水側に放熱するためには、上板１２Ｃを経由する必要がある。このため、半導体レーザーバー２０（発光素子）直下の領域Ｇを放熱部とした場合よりも、放熱経路が長くなる。そして、これにより、ヒートシンク１０の熱伝導による熱抵抗が増加し、冷却水側の熱伝達率向上代が半導体レーザーバー２０（発光素子）の温度低減に直結しない結果となる。逆方向流れの場合は、放熱経路の熱抵抗を減少させることができれば、熱伝導による熱抵抗が低減されるので、半導体レーザーバー２０（発光素子）の温度上昇量の低減が可能となる。
【００４７】
以上、説明したように、この第１実施例では、順方向流れとすることにより、半導体レーザーバー２０（発光素子）直下の領域Ｇに冷却水流れを衝突させることができるので、逆方向流れよりも半導体レーザーバー２０（発光素子）を低い温度に保つことが可能となる。すなわち、ヒートシンク１０の熱抵抗が小さく、高い冷却性能を有するヒートシンク１０を実現することができる。
【００４８】
［第２実施例］
次に、第２実施例について説明する。なお、第２実施例〜第７実施例において、第１実施例と同等のものについては同じ符号を付して、適宜その説明を省略する。この第２実施例では、半導体レーザーバー２０（発光素子）直下の領域Ｇに対して、第１実施例よりも強い乱れを有する冷却水流れ（乱流）を供給できる構成になっている。これによれば、ヒートシンク１０（筐体１２）と冷却水との熱交換が促進される効果を奏し、半導体レーザーバー２０（発光素子）の温度上昇量を更に低減させることができる。
【００４９】
図９に第２実施例の構成を示す。強い乱れを有する冷却水流れ（乱流）を半導体レーザーバー２０（発光素子）直下の領域Ｇに供給するための方法としては、冷却流路２８に２箇所の流路屈曲部４２、４４を設ける。すなわち、スペーサー３０の前下部の面取り部４０の面取りサイズを大きくして、鉛直流路形成面３６の鉛直方向の長さ（流路高さＨ１）を短くし、鉛直流路形成面３６の上流側に第１流路屈曲部４２を形成するとともに、下流側に第２流路屈曲部４４を形成する。そして、第１流路屈曲部４２の上流側に、面取り部４０によって徐々に流路断面積が減少される流路縮小部４６を形成する。
【００５０】
第１流路屈曲部４２よりも上流側では、冷却水流れの速度勾配は小さい。乱流の生成量は、冷却水流れ（流速分布）の速度勾配と乱れの積に比例する。したがって、流路縮小部４６よりも上流側の冷却流路２８では、乱れが非常に小さい流れとなる。第１流路屈曲部４２では、流路縮小部４６での流路断面積の減少による流れの加速効果と、冷却流路２８の屈曲化による流れの方向の変化により、冷却水の流速分布に大きな速度勾配が生じる。この速度勾配により、冷却水流れの中に乱れを発生させることができる。但し、第１流路屈曲部４２で生じた乱れのみでは、大きな冷却性能の向上代を得ることができない。そこで、第１流路屈曲部４２で生じた乱れを有する流れを、第２流路屈曲部４４を通過させる。
【００５１】
半導体レーザーバー２０（発光素子）直下の領域Ｇ（被冷却部）の上流側に位置する第２流路屈曲部４４では、第１流路屈曲部４２で発生した乱れと、第２流路屈曲部４４で生じる速度勾配により、より一層強い乱流が生成される。第２流路屈曲部４４の通過時に、冷却水流れは遠心力を受ける。したがって、半導体レーザーバー２０の発光素子の発熱により、ヒートシンク１０の温度が上昇する領域Ｇ（被冷却部）の壁面付近に、第２流路屈曲部４４で生じた大きな乱れ（乱流）を供給することが可能となる。領域Ｇの壁面付近における乱流は、冷却水とヒートシンク１０の間の熱交換を促進するため、ヒートシンク１０の冷却性能を更に向上させることが可能となる。
【００５２】
ここで、第２実施例の効果、即ち熱流れの数値シミュレーションにより検討した結果を図１０で示す。横軸は、鉛直流路形成面３６の流路高さＨ１を、鉛直流路形成面３６と前板１２Ｂの内壁面と間の距離、即ち流路幅Ｔ１で除算して無次元化した値（流路比）である。鉛直流路形成面３６の流路高さＨ１は、２つの流路屈曲部４２、４４間の鉛直方向の距離でもある。乱れが減衰しないためには、平均流から乱れにエネルギーが供給される（輸送される）必要がある。このエネルギー供給量（輸送量）は、冷却水の流速分布の速度勾配に比例する。鉛直流路２８Ａで生じる速度勾配は、第１流路屈曲部４２及び第２流路屈曲部４４よりも小さい。したがって、鉛直流路形成面３６の流路高さＨ１が高いと、第１流路屈曲部４２で生成された乱れは、第２流路屈曲部４４に到達する前に、鉛直流路２８Ａ内で減衰してしまう。
【００５３】
鉛直流路２８Ａの流路高さＨ１を低くすればするほど、半導体レーザーバー２０（発光素子）直下の領域Ｇに供給される乱れは大きくなる。その結果、半導体レーザーバー２０の発光素子の温度上昇量は低下する。更に、鉛直流路形成面３６の流路高さＨ１を低くすればするほど、鉛直流路２８Ａ内で生じる圧力損失を低減することが可能となる。圧力損失が低減すると、冷却水流動用の動力低減が可能となる。つまり、この第２実施例では、流路高さＨ１／流路幅Ｔ１で求められる流路比が小さければ小さいほど、冷却性能は向上することが判り、それによって、冷却水流動用の動力を低減させつつ、半導体レーザーバー２０（発光素子）の温度を低減することが可能となる。なお、流路高さＨ１と流路幅Ｔ１とから求められる流路比の範囲としては、９．０以下が推奨範囲となる。
【００５４】
［第３実施例］
図１１に第３実施例を示す。第３実施例は第２実施例の変形例であり、第２実施例と同様に乱流とされた冷却水流れを領域Ｇに衝突させることができる。この第３実施例では、スペーサー３０の前下部に面取り部４０を設けず、スペーサー３０の前上部に前板１２Ｂの内壁面に向かって突出する断面視略台形状の突出部５０を形成する。この突出部５０により、第１流路屈曲部４２及び第２流路屈曲部４４が形成され、かつ第１流路屈曲部４２の上流側に流路縮小部４６が形成される。
【００５５】
ここで、この突出部５０の下部に形成された傾斜壁面５０Ａの傾斜角αが冷却性能に及ぼす影響を、熱流れの数値シミュレーションにより検討した結果を図１２で示す。図１１（Ｂ）で示す傾斜角αが小さいと、流路縮小部４６での流路断面積の減少による流れの加速効果が小さくなるため、生成される乱流が弱くなる。傾斜角αが大きいと、第１流路屈曲部４２で流れの剥離（淀み）域が生じ、圧力損失が増加する。傾斜角αの範囲としては、α＝３０度〜７５度が推奨範囲となる。
【００５６】
［第４実施例］
図１３に第４実施例を示す。第４実施例では、第２実施例のものにおいて、筐体１２の前板１２Ｂの肉厚が内方側に向かって厚く形成されている。すなわち、前板１２Ｂの内壁面に肉厚増加部５２が形成されている。なお、肉厚増加部５２の上部で、面取り部４０と共に冷却流路２８を構成する傾斜壁面５２Ａは、スペーサー３０の面取り部４０と断面視で平行になるような角度で形成されており、スペーサー３０（面取り部４０）と肉厚増加部５２（傾斜壁面５２Ａ）とで、第３流路屈曲部４８が形成されている。その結果、第２実施例及び第３実施例よりも更に強い乱れを半導体レーザーバー２０（発光素子）直下の領域Ｇ（被冷却部）に供給することが可能となる。また、肉厚増加部５２によりヒートシンク１０（筐体１２）の前板１２Ｂの厚みが増加している。したがって、前板１２Ｂの熱容量が増大し、前板１２Ｂを経由して鉛直流路２８Ａの上流側で冷却水側に放熱される熱量を増加させることができる。
【００５７】
ここで、肉厚増加部５２の効果が冷却性能に及ぼす影響を、熱流れの数値シミュレーションにより検討した結果を図１４で示す。横軸は、肉厚増加部５２を含んだ前板１２Ｂ下部の肉厚Ｄ２と、肉厚増加部５２が形成されていない前板１２Ｂ上部の肉厚Ｄ１の比（肉厚比）である。半導体レーザーバー２０（発光素子）の温度上昇量は、肉厚比（Ｄ２／Ｄ１）が、Ｄ２／Ｄ１＝１．８において最小となり、圧力損失は、肉厚比（Ｄ２／Ｄ１）が、Ｄ２／Ｄ１＝２．０〜３．０において最小となっている。
【００５８】
更に、肉厚比（Ｄ２／Ｄ１）と流れパターンの関係を図１５で示す。この図１５で示すように、前板１２Ｂの内壁面近傍には、低流速域Ｍが生じる。低流速域Ｍが拡大すると、冷却流路２８の有効断面積が減少するため、圧力損失が増加する。低流速域Ｍの大きさが縮小すると、冷却流路２８の有効断面積が増加するため、圧力損失が低減される。したがって、図１４で示した圧力損失の結果から、低流速域Ｍの大きさは、Ｄ２／Ｄ１＝２．０〜３．０で最小となる。そして、Ｄ２／Ｄ１≦２．０となる場合（図１５（Ａ）参照）では、Ｄ２／Ｄ１の値が小さいほど、低流速域Ｍは拡大し（流速が低下し）、Ｄ２／Ｄ１≧３．０となる場合（図１５（Ｂ）参照）では、Ｄ２／Ｄ１の値が大きいほど、低流速域Ｍは拡大している（流速が低下している）。
【００５９】
冷却流路２８において圧力損失が低減されると、前板１２Ｂの内壁面近傍の流速が増加し、第１流路屈曲部４２と第２流路屈曲部４４の間で、前板１２Ｂの内壁面から冷却水側へ放熱される熱量が増加する。その結果、半導体レーザーバー２０の発光素子の温度上昇量を減少させることができる。また、第３流路屈曲部４８と第１流路屈曲部４２の距離が短いほど（Ｄ２／Ｄ１の値が小さいほど）、半導体レーザーバー２０（発光素子）直下の領域Ｇ（被冷却部）へ供給される乱れは強くなる。その結果、半導体レーザーバー２０の発光素子の温度上昇量を減少させることができる。したがって、肉厚比（Ｄ２／Ｄ１）は、１．３≦Ｄ２／Ｄ１≦３．５の範囲が推奨範囲となる。
【００６０】
このように、第２実施例〜第４実施例によれば、冷却水流れに大きな乱れを発生させることができるので、ヒートシンク１０の冷却性能を向上させることができる。すなわち、乱れは冷却流路２８内の熱流れの混合を促進することができる。したがって、半導体レーザーバー２０（発光素子）直下の領域Ｇ（被冷却部）に、強い乱れとされた冷却水を供給することにより、その領域Ｇにおいて、筐体１２と冷却水の熱交換を促進することが可能となる。
【００６１】
ところで、一般に、レイノルズ数が大きな流れほど、乱れは生じやすい。レイノルズ数とは、冷却流路内の断面平均流速と、流路幅から求まる無次元数である。レイノルズ数を大きくするには、流路幅を大きくするか、平均流速を大きくする必要がある。流路幅を大きくすると、内壁面の温度勾配が小さくなるため、ヒートシンク１０の冷却性能向上の観点からは好ましくない。平均流速を増加させるためには、冷却水の流量を増加させる必要があり、冷却水を流動させるために必要な動力が増加する。その結果、より大型の冷却水流動用の動力（ポンプ）が必要となり、半導体レーザーバー２０（発光素子）を用いる機器全体のコストが増加する。また、冷却水流動用の動力増加は、冷却に必要な動力を考慮した半導体レーザーバー２０を用いるシステム効率（総合効率）の低下に直結する。
【００６２】
この第２実施例〜第４実施例においては、被冷却部である領域Ｇよりも上流側の冷却流路２８に、少なくとも２箇所（複数）の流路屈曲部４２、４４を設けるとともに、第１流路屈曲部４２の上流側に流路縮小部４６を設けることにより、冷却水流量を増加させることなく、大きな乱れを発生させている。そして、この乱れを領域Ｇ（被冷却部）に衝突させている。したがって、冷却水流動用の動力増加を生じさせることなく（総合効率を低下させることなく）、ヒートシンク１０の冷却性能を向上させることができる。また、半導体レーザーバー２０（発光素子）直下の領域Ｇ（被冷却部）に冷却水流れを衝突させているので、半導体レーザーバー２０（発光素子）から冷却水までの放熱経路が短い。したがって、冷却水流れの衝突による高い熱伝達率が利用でき、半導体レーザーバー２０（発光素子）の温度を効率よく低減させることが可能となる。
【００６３】
［第５実施例］
図１６に第５実施例を示す。この第５実施例では、半導体レーザーバー２０（発光素子）直下の領域Ｇ（被冷却部）から流出口１８に向けて、水平流路２８Ｂの流路面積を拡大させる流路拡大部５４が設けられている。すなわち、被冷却部である領域Ｇよりも下流側におけるスペーサー３０の上面に、下流側に向かって下降する傾斜面３７が形成され、空洞部Ｓとスペーサー３０上面（傾斜面３７）との間に形成される空隙の間隔が、領域Ｇ（被冷却部）から下流側に向かう距離とともに増加されている。この流路拡大部５４によれば、領域Ｇ（被冷却部）よりも下流側において、冷却流路２８の流路面積が、水平流路２８Ｂよりも広がるので、冷却流路２８内に生じる圧力損失を減少させることができる。
【００６４】
ここで、流路拡大部５４の効果が冷却性能に及ぼす影響を、熱流れの数値シミュレーションにより検討した効果を図１７で示す。横軸は、傾斜面３７の傾斜角βを示す。ここでは、流路拡大部５４の流路高さ（流路幅）Ｈ２を固定し、傾斜面３７よりも上流側の水平流路２８Ｂの流路長さＨ３と、傾斜面３７の流路長さ（傾斜面３７の水平方向の長さ）Ｈ４の和を一定とした。すなわち、水平流路２８Ｂの流路長さＨ３を短くすると、傾斜面３７の流路長さＨ４は長くなり、傾斜面３７の傾斜角βは小さくなる。
【００６５】
この第５実施例では、流路幅Ｔ２が狭くて、大きな圧力損失が生じていた水平流路２８Ｂの流路長さＨ３が短くなるため、圧力損失は低減する。一方、傾斜角βが、β＝３５度より小さくなると、流れの剥離（淀み）域Ｎが縮小し、流れの剥離（淀み）域Ｎに起因する圧力損失が減少するため、冷却流路２８内で生じる圧力損失を１５％以上減少させることが可能となる。したがって、傾斜角βの値としては、β＝２７度〜４５度の範囲が推奨範囲となる。
【００６６】
何れにしても、筐体１２内にスペーサー３０を挿設することによって冷却流路２８が形成される構成であるため、冷却流路２８の流路形状の自由度が大きい。したがって、スペーサー３０上面に傾斜面３７を形成し、被冷却部である領域Ｇから流出口１８に向けて、流路面積を拡大させる構成を採ることができ、その領域Ｇ（被冷却部）よりも下流側における冷却水流れの流速を低下させることができる。つまり、領域Ｇ（被冷却部）に対する冷却寄与度が小さな領域の流路高さ（流路幅）Ｈ２を拡大することができるので、領域Ｇ（被冷却部）に対する冷却性能を低下させることなく、圧力損失の低減、即ち冷却水流動用の動力の低減を図ることが可能となる。
【００６７】
［第６実施例］
図１８に第６実施例を示す。第６実施例では、筐体１２の前板１２Ｂの肉厚が外方側に向かって厚く形成されている。すなわち、前板１２Ｂの外壁面上部に段部（以下「ステップ部」という）５６が形成されて、前板１２Ｂの肉厚が増加されている。このステップ部５６によって前板１２Ｂの肉厚を増加させることにより、半導体レーザーバー２０（発光素子）から前板１２Ｂを経由して冷却水側に至る放熱経路の熱抵抗を減少させることが可能となり、発光素子の温度上昇量を低減させることが可能となる。
【００６８】
なお、ステップ部５６は、図１８（Ｂ）で示すように、レーザービームＬを遮らないような形状にする必要がある。すなわち、ステップ部５６の突出幅（半導体レーザーバー２０の先端からの突出量）Ｅと、半導体レーザーバー２０に対するステップ部５６の開始位置（半導体レーザーバー２０の下面からステップ部５６が形成される位置までの距離）Ｐは、サブマウント２２からの半導体レーザーバー２０（発光素子）の突出量Ｊや、レーザービームＬの水平方向に対する拡がり角γによって決定される。
【００６９】
ここで、ステップ部５６の突出幅Ｅが冷却性能に及ぼす影響を、熱流れの数値シミュレーションにより検討した結果を図１９で示す。横軸は、ステップ部５６の突出幅Ｅと、ステップ部５６によって肉厚とされた部分を除く前板１２Ｂの肉厚Ｄ３の比（以下「ステップ比」という）を示す。レーザービームＬの拡がり角γは、γ＝４５度とし、突出量Ｊは半導体レーザーバー２０の発光素子の厚み以下に設定した。
【００７０】
図１８（Ｂ）の仮想線Ｋで示すように、ステップ部５６の突出幅Ｅと前板１２Ｂの肉厚Ｄ３の比（ステップ比）を０．０から０．５まで大きくすると、前板１２Ｂの肉厚が厚くなるので、前板１２Ｂの熱容量が増加する。その結果、発光素子からステップ部５６を経由して冷却水側に放熱される熱量が増加するため、発光素子の温度上昇量は低下する。しかし、ステップ比を０．５より大きくすると、レーザービームＬを遮らないように、ステップ部５６の開始位置Ｐが下降するため、発光素子とステップ部５６の距離が長くなり、放熱経路の熱抵抗が増加する。したがって、ステップ比は、０．１〜１．５の範囲が推奨範囲となる。
【００７１】
［第７実施例］
図２０に第７実施例を示す。第７実施例では、スペーサー３０の流路形成部３４に、半導体レーザーバー２０（発光素子）直下の領域Ｇに向けて冷却水を供給可能な流入部５８が設けられている。この場合、蓋体１４の略中央に、更に開口を設けて流入口１７とする。したがって、第１実施例〜第６実施例における流入口１６は下部流出口となる。これによれば、流入口１７から流入した冷却水流れは、流入部５８を通って上板１２Ｃの内壁面と前板１２Ｂの内壁面、即ち領域Ｇ付近に衝突する。そして、上板１２Ｃの内壁面に衝突した流れは、上部流出口１８から排出され、前板１２Ｂの内壁面に衝突した流れは、下部流出口（流入口１６）から排出される。
【００７２】
このような構成にすると、冷却流路２８を構成する上板１２Ｃの内壁面及び前板１２Ｂの内壁面において、冷却水流れが衝突する領域が拡大するため、ヒートシンク１０の冷却性能を向上させることができる。その結果、発光素子の温度を低い温度に保つことが可能となる。また、流出口を２箇所に分離することにより、各流出口を通過する冷却水流れの流量が減少する。その結果、領域Ｇ（被冷却部）より下流側の冷却流路２８で生じる圧力損失を減少させることが可能となる。
【００７３】
［第８実施例］
次に、第８実施例について説明する、なお、第８実施例〜第１２実施例において、上記第１実施例〜第７実施例と同等のものには、同じ符号を付して、適宜その説明を省略する。また、図２１で示すように、この第８実施例〜第１２実施例においても、半導体レーザーバー２０の長手方向を左右方向とし、矢印Ａ方向を右方向とする。また、矢印Ｂ方向を前方向とし、矢印Ｃ方向を上方向とする。したがって、第８実施例〜第１２実施例においても、上記矢印に対応して、左右、前後、上下の表現をする。
【００７４】
図２１、図２２で示すように、第８実施例のヒートシンク６０では、集光系２６がヒートシンク本体としての銅製筐体６２の上面部等に設けられている。すなわち、第８実施例〜第１２実施例（図２１〜図３９）で説明するヒートシンク６０は、冷却系と集光系が一体とされた場合に適用する冷却手段であり、筐体６２は、上部筐体６４と下部筐体６６とで構成され、上部筐体６４の上板６４Ｃの外壁面に、発熱体である半導体レーザーバー２０や集光系２６等が設置されている。
【００７５】
集光系２６は、半導体レーザーバー２０から出射されたレーザービームＬを集光するものであり、図示しない集光レンズやレンズの固定部、光集束器などからなる。半導体レーザーバー２０は、上部筐体６４の上板６４Ｃの外壁面と、サブマウント２２の一端との間に保持され、サブマウント２２の他端は、絶縁板２４を介して上部筐体６４の上板６４Ｃに接続されている。そして、半導体レーザーバー２０は、サブマウント２２を通して、図示しない電極に接続されている。
【００７６】
また、この筐体６２内（空洞部Ｓ）に、冷却流路形成用のスペーサー７０が設置される。冷却水は、筐体６２（下部筐体６６）の前板６６Ｂに形成された流入口７２からヒートシンク６０（筐体６２）内に流入し、流入部流路８２、冷却部流路８４、流出部流路８６を通過した後、筐体６２（下部筐体６６）の後板６６Ｅに形成された流出口７４から排出される。つまり、冷却流路２８は、集光系２６が設置された第２熱拡散領域７８（後述）の下方に設けられた流入部流路８２と、空洞部Ｓとスペーサー７０との間の空隙部で形成された冷却部流路８４と、流出部流路８６とで構成されている。そして、冷却部流路８４は、半導体レーザーバー２０（発光素子）直下の領域Ｇよりも上流側の鉛直流路８４Ａと、半導体レーザーバー２０（発光素子）直下の領域Ｇとそれよりも下流側の水平流路８４Ｂと、水平流路８４Ｂよりも下流側の鉛直流路８４Ｃとで構成されている。
【００７７】
また、流入部流路８２と冷却部流路８４は、第２熱拡散領域７８の後端部に形成された面取り部８０によって徐々に流路断面積が減少される流路縮小部８８により接続（連通）されている。つまり、流路縮小部８８の上流側（流入部流路８２）と下流側（冷却部流路８４）では、流れの方向が９０度変化すると同時に、流路断面積が急変するようになっている。なお、流路縮小部８８を構成する面取り部８０は、流れの剥離（淀み）域が発生するのを防止する目的で形成されている。その他、流入口７２、流出口７４は、下部筐体６６に形成される場合に限定されない。例えば、上部筐体６４にも流入口７２、流出口７４となる切欠部（図示省略）を形成し、下部筐体６６と組み合わせることで、流入口７２、流出口７４が形成される構成にしてもよい。
【００７８】
ここで、集光系２６を除く、ヒートシンク６０の構成を図２３に示す。上部筐体６４は内部に空洞部Ｓ１を有し、下部筐体６６は内部に空洞部Ｓ２を有している。ヒートシンク６０は、半導体レーザーバー２０、サブマウント２２、絶縁板２４が設置される上部筐体６４と、流入口７２及び流出口７４が形成された下部筐体６６とで、スペーサー７０を上下から挟み込むことにより作製される。そして、上部筐体６４の空洞部Ｓ１と、下部筐体６６の空洞部Ｓ２と、スペーサー７０から形成される空隙部を冷却流路２８としている。微細流路を用いる従来の冷却系では、冷却流路２８を形成するための微細な特殊加工が必要であったが、このような構成にすると、微細流路を形成するための特殊加工を用いる必要がない。したがって、従来の冷却技術よりも製造コスト、組み付けのコストの低減が可能となる。
【００７９】
なお、図２４で示すように、上部筐体６４に集光系２６を直接設置するのではなく、上部筐体６４と一体構造でない設置台６８を別途設け、その上面６８Ａに集光系２６を設置する構成としてもよい。この場合、半導体レーザーバー２０から射出されるレーザービームＬを集光できるように、上部筐体６４の上板６４Ｃに形成する段差部６４Ａの高さを、設置台６８の高さ分、低く形成する必要がある。更に、図２５で示すように、ヒートシンク６０（筐体６２）を上部筐体６４と下部筐体６６とで構成するのではなく、内部に空洞部Ｓ３を有する前部筐体６５と、内部に空洞部Ｓ４を有する後部筐体６７とで構成してもよい。すなわち、半導体レーザーバー２０、サブマウント２２、絶縁板２４が設置されるとともに、流入口７２が形成された前部筐体６５と、流出口７４が形成された後部筐体６７とで、スペーサー７０を前後から挟み込むことにより作製してもよい。
【００８０】
以上のような構成のヒートシンク６０において、次にその作用を説明する。図２６で示すように、この第８実施例では、半導体レーザーバー２０から上部筐体６４への熱拡散を促進させる１つの手段と、上部筐体６４から冷却水側への放熱を促進させる３つの手段を有している。上部筐体６４への熱拡散を促進させる１つの手段としては、半導体レーザーバー２０の近傍に、２つの熱拡散領域７６、７８を備えている。すなわち、筐体６２（上部筐体６４）において、半導体レーザーバー２０の直下から下流側に設けられた第１熱拡散領域７６では、ヒートシンク６０内部の熱伝導による熱抵抗を低減するため、その肉厚Ｄ４が可能な限り薄く設定されている。
【００８１】
そして、第１熱拡散領域７６よりも上流側（前側）に設けられるとともに、集光系２６が設置される第２熱拡散領域７８では、その肉厚Ｄ５が、第１熱拡散領域７６の肉厚Ｄ４よりも厚く設定されている（Ｄ４＜Ｄ５とされている）。その結果、第２熱拡散領域７８の体積は、第１熱拡散領域７６の体積よりも増加し、熱容量が増大する。したがって、熱容量が大きい第２熱拡散領域７８へ半導体レーザーバー２０の発熱を拡散させ、半導体レーザーバー２０の温度を低減させることが可能となる。なお、第１熱拡散領域７６と第２熱拡散領域７８は、上部筐体６４の上板６４Ｃに形成された段差部６４Ａによって接続（連設）されている。
【００８２】
次に、上部筐体６４から冷却水側への放熱を促進させる３つの手段について説明する。第１の手段としては、冷却部流路８４が、２つの熱拡散領域７６、７８に接していることである。すなわち、半導体レーザーバー２０から第１熱拡散領域７６及び第２熱拡散領域７８に拡散してきた熱が冷却水側に放熱されないと、第１熱拡散領域７６及び第２熱拡散領域７８の温度が上昇し、半導体レーザーバー２０の温度が上昇してしまう。そのため、第１熱拡散領域７６は、半導体レーザーバー２０（発光素子）直下の水平流路８４Ｂと接する構成とされ、第２熱拡散領域７８は、鉛直流路８４Ａと接する構成とされている。これにより、半導体レーザーバー２０（発光素子）の内部で発生した熱を、第１熱拡散領域７６及び第２熱拡散領域７８に拡散させた後、その第１熱拡散領域７６及び第２熱拡散領域７８から冷却水側へ効率的に放熱できるようになっている。
【００８３】
このように、ヒートシンク６０内に、半導体レーザーバー２０（発光素子）の発熱を拡散させる領域を少なくとも２つ設け、かつ、その２つの熱拡散領域７６、７８が冷却部流路８４と接する構成とされているので、半導体レーザーバー２０（発光素子）の発熱は、ヒートシンク６０内に拡散させることができるとともに、その熱拡散領域７６、７８の熱を冷却水流れに効率よく放熱させることができる。したがって、半導体レーザーバー２０（発光素子）から冷却水側への放熱を促進することができ、冷却性能を向上させることができる。なお、この場合には、第２熱拡散領域７８により、その上面に設置されている集光系（集光光学機器）２６も同時に冷却することが可能となる。
【００８４】
第２の手段としては、半導体レーザーバー２０（発光素子）の発熱によって、上部筐体６４の内壁温度が最も高温となる部位（領域Ｇ）に、冷却水流れを衝突させる構成にしていることである（冷却水流れの衝突効果を利用していることである）。すなわち、ヒートシンク６０（下部筐体６６）の前板６６Ｂに形成された流入口７２から流入した冷却水流れは、流入部流路８２を通ってスペーサー７０に衝突し、冷却部流路８４の鉛直流路８４Ａ内に流れる。そして、半導体レーザーバー２０（発光素子）直下の領域Ｇに衝突し、その後、水平流路８４Ｂを通って鉛直流路８４Ｃへ流れ、更に流出部流路８６を通って、後板６６Ｅに形成された流出口７４から流出される。
【００８５】
半導体レーザーバー２０（発光素子）直下の領域Ｇは、その半導体レーザーバー２０（発光素子）の発熱により、温度が上昇する領域である。したがって、この領域Ｇに冷却水流れを衝突させることにより、冷却水流れの温度境界層の厚みが薄くなり（冷却水側の温度が低い部分が内壁面側に近づき）、ヒートシンク６０と冷却水との間の熱交換が促進される。これにより、発光素子の温度を低減することができる。
【００８６】
第３の手段としては、ヒートシンク６０の断面形状を半導体レーザーバー２０の長手方向に対してほぼ同一の形状にしていることである。つまり、冷却流路２８（特に冷却部流路８４）を半導体レーザーバー２０（発光素子）の長手方向に対してほぼ同一の断面形状にしていることである。これによれば、流速や乱れ、温度が均一な冷却水を被冷却部である領域Ｇに供給することが可能となるため、半導体レーザーバー２０の発光素子に対して、その長手方向に均一な冷却が可能となり、発光素子の温度が均一化される。
【００８７】
何れにしても、このヒートシンク６０は、半導体レーザーバー２０の発光素子の温度を低減するために、発光素子で生じた熱を拡散させる領域として、半導体レーザーバー２０（発光素子）直下の第１熱拡散領域７６と、集光系２６を設置する第２熱拡散領域７８の２つの熱拡散領域を有している。そして、その２つの熱拡散領域７６、７８は、冷却流路２８（冷却部流路８４）と接する構造とされている。したがって、熱拡散領域７６、７８を経由させることにより、発光素子の発熱を効率的に冷却水側に放熱することができる。
【００８８】
［第９実施例］
図２７に第９実施例を示す。なお、第９実施例〜第１２実施例において、第８実施例と同等のものには、同じ符号を付して、適宜その説明を省略する。この第９実施例では、被冷却部（領域Ｇ）よりも上流側の鉛直流路８４Ａの流路高さＨ５と流路幅Ｔ２の比（流路比）が１．５〜９．０に設定されている。そこで、この流路比（流路高さＨ５／流路幅Ｔ２）が冷却性能に及ぼす影響を、熱流れの数値シミュレーションにより検討した結果を示す。
【００８９】
冷却流路２８（冷却部流路８４）の形状が半導体レーザーバー２０の温度に及ぼす影響を評価するため、ヒートシンク６０や半導体レーザーバー２０の筐体１２内熱伝導計算と、冷媒側の熱流れ計算の連成計算を実施した。半導体レーザーバー２０の内部の材料組成は考慮せず、単一の材質として扱った。冷媒としては水を用い、その流量は２リットル／ｍｉｎとした。評価項目は冷媒（冷却水）側の圧力損失と半導体レーザーバー２０の温度上昇量である。
【００９０】
図２８に流路比と、圧力損失及び半導体レーザーバー２０の温度上昇量の関係を示す。流路比を９．０から３．０まで小さくすると、鉛直流路８４Ａの流路高さＨ５が短くなるため、圧力損失は低減する。また、鉛直流路８４Ａの流路高さＨ５を短くすると、被冷却部（領域Ｇ）における乱れが増加するので、半導体レーザーバー２０の温度上昇量が減少する。また、図３０に上板１２Ｃの内壁面からの距離Ｈ６（図２９参照）を流路幅Ｔ２で除算した流路比に対する鉛直流路８４Ａの流路中心における乱れの分布を示す。乱れの分布には、図２９で示す第１領域９２における第１のピークと、第２領域９４における第２のピークが生じる。
【００９１】
冷却水が流入部流路８２から鉛直流路８４Ａに流入する第１領域９２では、流路断面積の減少や、流れ方向の変化に伴い、大きな流速分布、即ち速度勾配が生じる。この速度勾配の存在が第１のピークの発生要因である。流路比を変化させても、第１のピーク値は、殆ど変化しない。冷却水流れが上部筐体６４の壁面へ衝突する第２領域９４では、第２のピークが生じる。この第２領域９４の乱れが大きくなるほど、筐体６２と冷却水との間の熱交換が活発になり、ヒートシンク６０から冷却水側への放熱量は増加する。流路比を９．０から３．０まで小さくすると、半導体レーザーバー２０の温度上昇量が減少するのは、第２のピーク値が増加するためであり、この第２のピーク値の増加は鉛直流路８４Ａ内における乱れの挙動が流路高さＨ５によって異なることに起因している。
【００９２】
乱れを維持するためには、分子粘性により消散されるエネルギー（乱れの消散量）よりも、多くのエネルギーが平均流から供給される必要がある。このエネルギー供給量（乱れの生成量）は、速度勾配と乱れの積に比例する。速度勾配の小さな鉛直流路８４Ａでは、乱れの生成量よりも消散量が多いため、第１領域９２から第２領域９４に向かって乱れは減衰する。鉛直流路８４Ａの流路長さ（流路高さＨ５）が長くなる、即ち流路比が大きくなるほど、乱れの減衰量は増加する。その結果、第２領域９４に衝突する上流側の冷却水流れにおける乱れの大きさは小さくなる。図２８で示したように、流路比を３．０から更に小さくして行くと、圧力損失や温度上昇量は増加する。これは、図３１で示すように、流路比により、鉛直流路８４Ａに生じる流れの剥離（淀み）域Ｎの大きさが変化するためである。
【００９３】
図３１（Ａ）で示すように、流路比が３．０以上の場合、鉛直流路８４Ａ内には、流れの剥離（淀み）域Ｎと低流速域Ｍが生じる。すなわち、流れの剥離（淀み）域Ｎは、冷却水流れが鉛直流路８４Ａに流入する際に、流路縮小部８８の入口付近で、その流れが壁面上から剥離することにより生じる。そして、鉛直流路８４Ａに流入した冷却水流れは、冷却部流路８４を構成する壁面上に再付着する。その結果、流れの剥離（淀み）域Ｎと低流速域Ｍとが分離される。一方、図３１（Ｂ）で示すように、流路比を１．５より小さくすると、流れの剥離（淀み）域Ｎと低流速域Ｍが合体し、鉛直流路８４Ａの内部全域に亘り、流れの剥離（淀み）域Ｎが生じる。その結果、圧力損失や温度上昇量は増加する。したがって、この場合、流路比は１．５〜９．０が推奨範囲となる。
【００９４】
何れにしても、この第９実施例では、半導体レーザーバー２０（発光素子）の発熱により、ヒートシンク６０の温度が上昇する領域Ｇ（被冷却部）に、強い乱れを有する冷却水流れを衝突させることができる。したがって、ヒートシンク６０（筐体６２）と冷却水流れの熱交換が、その乱れにより促進される。つまり、冷却水流れの衝突による伝熱促進効果により、高い冷却性能を実現することが可能となる。
【００９５】
［第１０実施例］
図３２に第１０実施例を示す。第１０実施例では、鉛直流路８４Ａの流路高さＨ５を固定し、第２熱拡散領域７８の厚みＤ５を変化させている（厚くしている）。上記したように、第２熱拡散領域７８は、半導体レーザーバー２０（発光素子）直下の第１熱拡散領域７６と、上部筐体６４の上板６４Ｃに形成された段差部６４Ａにより接続（連設）されている。幅１．０ｍｍ程度の半導体レーザーバー２０の発光素子から効率的に熱を奪うためには、半導体レーザーバー２０（発光素子）直下の領域Ｇに冷却水流れを衝突させる必要がある。また、半導体レーザーバー２０から第２熱拡散領域７８への熱拡散を促進できれば、半導体レーザーバー２０の温度低減が可能となる。
【００９６】
第２熱拡散領域７８への熱拡散を促進するためには、半導体レーザーバー２０から第２熱拡散領域７８へ熱が伝わる経路の熱抵抗をできるだけ小さくするとともに、第２熱拡散領域７８の熱容量を大きくする必要がある。半導体レーザーバー２０と第２熱拡散領域７８は、肉厚Ｄ６が第１熱拡散領域７６の肉厚Ｄ４（図２６参照）と略同等とされた、上部筐体６４の段差部６４Ａによって接続（連設）されている。熱伝導により、上部筐体６４の段差部６４Ａ中を移動する熱量は、熱の移動方向に垂直な面積、即ち上部筐体６４の段差部６４Ａの厚みＤ６に比例する。
【００９７】
したがって、熱容量を大きくするために、段差部６４Ａの厚みＤ６を増加させてもよいが、厚みＤ６を増加させると、半導体レーザーバー２０の直下の領域Ｇに占める、冷却水流れが衝突する領域の割合が減少し、冷却性能が低下する。つまり、半導体レーザーバー２０から第２熱拡散領域７８に至る放熱経路中において、段差部６４Ａの存在が、熱伝導に対する熱抵抗増加の要因となってしまう。したがって、段差部６４Ａの肉厚Ｄ６は第１熱拡散領域７６の肉厚Ｄ４と略同等とされている。
【００９８】
一方、第２熱拡散領域７８の厚みＤ５を厚くすると、上部筐体６４の段差部６４Ａの長さが短くなるため、上部筐体６４の段差部６４Ａを経由して、半導体レーザーバー２０から第２熱拡散領域７８へ移動する放熱経路の熱抵抗が小さくなり、第２熱拡散領域７８への熱拡散は促進される。また、第２熱拡散領域７８の厚みＤ５が厚く形成されていることから、第２熱拡散領域７８の熱容量が増加している。したがって、この第１０実施例では、冷却流路２８（冷却部流路８４）の形状を固定したまま、第２熱拡散領域７８の厚みＤ５を厚くしている。
【００９９】
これによれば、上部筐体６４の段差部６４Ａの長さが短くなるので、半導体レーザーバー２０から第２熱拡散領域７８への放熱経路の熱抵抗を小さくすることが可能となる。そして、第２熱拡散領域７８の熱容量が大きくなるので、半導体レーザーバー２０から第２熱拡散領域７８への熱拡散を促進することができる。つまり、これにより、半導体レーザーバー２０から第２熱拡散領域７８への熱拡散量を増加させることができ、半導体レーザーバー２０（発光素子）の温度を低下させることができる。
【０１００】
図３３に熱流れの数値シミュレーションを用いて検討した結果を示す。図３３で示すように、第２熱拡散領域７８の厚みＤ５が増せば増すほど、半導体レーザーバー２０（発光素子）の温度は低下していることが判る。なお、図３４で示すように、第２熱拡散領域７８の厚みＤ５の最大値は、鉛直流路８４Ａの流路高さＨ５と流路幅Ｔ２の和以下となる。また、このヒートシンク６０において、冷却性能向上の主な手段は、第２熱拡散領域７８への熱拡散促進である。つまり、流路縮小部８８がなくても、第２熱拡散領域７８の厚みＤ５を厚くすれば、冷却性能を向上させることができる。この第２熱拡散領域７８の厚みＤ５を増し、かつ半導体レーザーバー２０と第２熱拡散領域７８との距離を短くすることにより、冷却性能の向上が図れる。
【０１０１】
［第１１実施例］
図３５に第１１実施例を示す。第１１実施例では、鉛直流路８４Ａの流路高さＨ５を固定し、流路縮小部８８の大きさ（面取り部８０の大きさ）を大きくしている。図３６に熱流れの数値シミュレーションを用いて検討した結果を示す。流路縮小部８８の流路断面積は、鉛直流路８４Ａの流路断面積より大きいため、鉛直流路８４Ａで生じる圧力損失は、流路縮小部８８で生じる圧力損失より大きくなる。
【０１０２】
面取り部８０の大きさ（鉛直方向の幅Ｕ１と水平方向の幅Ｕ２であり、ここでは、面取り部８０の傾斜角を４５度として、Ｕ１＝Ｕ２としている）を大きくすると、鉛直流路８４Ａの流路高さ（長さ）Ｈ５（図３４参照）が短くなるため、圧力損失は低減する。また、鉛直流路８４Ａの流路高さ（長さ）Ｈ５を短くすると、領域Ｇ（被冷却部）の乱れが増加する。その結果、半導体レーザーバー２０の温度上昇量も減少する。面取り部８０の大きさ（鉛直方向の幅Ｕ１と水平方向の幅Ｕ２：Ｕ１＝Ｕ２）と冷却流路２８（冷却部流路８４）の流路幅Ｔ２の比としては、５．０〜１５．５までの範囲が推奨範囲となる。１５．５以上とすると、第９実施例と同様に（図３１（Ｂ）で示すように）、鉛直流路８４Ａ内全域に流れの剥離（淀み）域Ｎが発生し、圧力損失が増加するとともに、半導体レーザーバー２０の温度上昇量が増加する。
【０１０３】
ここで、冷却水流れは時間的な平均流と、時間的に不規則に変動する乱れからなる。乱れの不規則変動は、冷却水流れにおいて、温度場の混合を促進する効果や、冷却水流れとヒートシンク６０（筐体６２）との間での熱交換を促進する効果を有する。乱れは、時間的な平均流から、エネルギー供給を受けると同時に、分子粘性により、熱に変換される。したがって、乱れの大きさはエネルギー供給量と、熱へ変換されるエネルギー量のバランスにより決定される。また、乱れは、平均流からのエネルギー供給量が減少すると減衰する。乱れにエネルギーを供給するには、大きな速度勾配の存在が必要である。平行流路である冷却部流路８４内の速度勾配は、流路縮小部８８における速度勾配より小さいため、冷却部流路８４内では流路縮小部８８からの距離とともに、その乱れは小さくなる。
【０１０４】
したがって、この第１１実施例においては、流路縮小部８８と領域Ｇ（被冷却部）との距離を、流路縮小部８８で生成された乱れが減衰しない距離としている。すなわち、流路縮小部８８（面取り部８０）の大きさを大きくして、半導体レーザーバー２０（発光素子）の発熱によって温度が上昇する領域Ｇに衝突させる冷却水流れの乱れを強くし、その乱れによって、ヒートシンク６０（筐体６２）と冷却水流れの熱交換を促進させている。
【０１０５】
つまり、流入部流路８２と冷却部流路８４の接続点である流路縮小部８８（面取り部８０）では、流路断面積や流れ方向の変化により、大きな速度分布（速度勾配）が発生する。この速度勾配により、大きな乱れが生成される。そのため、流路縮小部８８を大きくし、速度勾配が小さい冷却部流路８４（鉛直流路８４Ａ）の流路長さ（流路高さＨ５）を短くして、乱れが生成される流路縮小部８８と被冷却部（領域Ｇ）の距離を短くしている。これによれば、半導体レーザーバー２０（発光素子）直下の領域Ｇ（被冷却部）へ強い乱れとされた冷却水流れを供給することが（衝突させることが）可能となるので、ヒートシンク６０（筐体６２）と冷却水流れの熱交換を促進させることができる。よって、冷却性能を高めることができる。
【０１０６】
［第１２実施例］
図３７、図３８に第１２実施例を示す。この第１２実施例では、冷却流路２８（冷却部流路８４）内に、伝熱面積を増加させるための薄板状のフィン９０が、半導体レーザーバー２０の長手方向に複数枚並設されている。なお、フィン９０の断面形状は、図３９で示すように、例えば長方形状や三角形状としてもよいが、図３７で示すような「Ｌ」字状とすると、スペーサー７０の位置決め手段としての機能を持たせることができるので好ましい。何れにしても、冷却部流路８４中に複数枚のフィン９０を設けると、フィン９０による伝熱面積の拡大効果により、半導体レーザーバー２０から冷却水流れへの放熱が促進される。
【０１０７】
但し、冷却部流路８４中にフィン９０を設けると、冷却水流れの流路面積が減少するため、圧力損失が増加する。そこで、フィン９０を設置する領域は、半導体レーザーバー２０の発熱により、ヒートシンク６０の温度が上昇する領域Ｇに隣接する部位、即ち鉛直流路８４Ａと水平流路８４Ｂとが交差する角部に限定する。その結果、圧力損失の大幅な増加を防止しつつ、冷却性能を向上させることが可能となる。また、フィン９０において、伝熱面積の拡大効果を促進するために、フィン９０の材質は、多孔体金属（例えば、燒結金属のような金属）とすることが好ましい。内部に微細な孔を多数有する多孔体金属（燒結金属）は、非常に大きな伝熱面積を有するので、特に有効となる。
【０１０８】
以上、説明したように、本発明に係るヒートシンク１０、６０は、空洞部Ｓを有する筐体１２、６２に、スペーサー３０、７０を挿設し、その空洞部Ｓとスペーサー３０、７０の間に形成される微細な空隙部を冷却流路２８として用いるので、構造が簡易であり、従来技術よりも低コストで製造することが可能となる。すなわち、例えばマイクロチャンネル方式の流路幅は、０．１ｍｍ以下であるが、このような微細流路を形成するためには、エッチング加工を施したシート状の銅板（薄板）を積層するなど、薄板へのエッチング処理による特殊加工や、薄板を拡散接合するような工程が必要であるため、ヒートシンクの製造コストが増大する問題がある。これに対し、本発明に係るヒートシンク１０、６０は、筐体１２、６２とスペーサー３０、７０という少ない部品点数で、流路幅Ｔ１、Ｔ２が０．５ｍｍ以上とされた微細な冷却流路２８を容易に形成することができるため、従来技術（マイクロチャンネル方式）よりも製造コストの低減、即ち加工コスト、組み付けコストの低減が可能となる。
【０１０９】
また、このように、本発明に係るヒートシンク１０、６０では、冷却流路２８を形成するための特殊加工が不要であり、かつ冷却流路２８の最小流路幅は０．５ｍｍとされて、従来の微細流路を用いる冷却系よりも流路幅Ｔ１、Ｔ２が大きくされているので、冷却流路２８内で生じる圧力損失を、従来よりも低減することができる。すなわち、冷却流路の流路幅は、冷却流路内で生じる圧力損失や、冷却性能に大きな影響を及ぼす。流路幅を狭くすると、冷却性能は向上するが、圧力損失は大幅に増加する。圧力損失の増加は、冷却水をヒートシンク内に流動させるための動力の増加に直結し、冷却に必要な動力を考慮した総合効率の低下を招く。
【０１１０】
本発明に係るヒートシンク１０、６０では、上記のように、圧力損失を低減させることができるため、冷却水流動用の動力を低減することができ、半導体レーザーバー２０を用いた機器の総合効率を向上させることができる。したがって、その冷却水流動用の動力やヒートシンクの小型化を実現できる。更に、従来よりも低い圧力で、ヒートシンク１０、６０内へ冷却水（冷媒）を流入させることが可能となるため、ヒートシンク１０、６０や冷却水供給用配管などの耐久性を向上させることができる。また、本発明のヒートシンク１０、６０では、半導体レーザーバー２０（発光素子）直下の冷却流路２８を乱流状態で冷却水が流れる。乱流状態では、層流状態より高い熱伝達率が得られるため、層流の場合よりも狭い伝熱面積で、高い冷却性能を得ることが可能になる。そのため、ヒートシンク１０、６０の構造を、微細流路を集積化した薄板の積層構造とする必要がない。
【０１１１】
また、本発明に係るヒートシンク１０、６０では、筐体１２、６２とスペーサー３０、７０が分離可能であり、筐体１２、６２の空洞部Ｓや、スペーサー３０、７０の形状を個別に変化させることが可能である。つまり、筐体１２、６２内（空洞部Ｓ）に挿設するスペーサー３０、７０の形状を任意に変更（設定）するだけで、冷却流路２８の流路幅Ｔ１、Ｔ２を容易に変更（設定）することができる。したがって、例えば、圧力損失は冷却流路２８の流路長さに比例するため、冷却に寄与しない被冷却部の下流側では、流れ方向の距離とともに、冷却流路の流路面積を拡大させることが可能となる。その結果、圧力損失の低減、即ち冷却水流動用の動力の低減が可能となる。つまり、冷却水を流動させるための動力増加や、製造コストの増加を伴うことなく、冷却性能を向上させることができる。
【０１１２】
また、本発明に係るヒートシンク１０、６０では、半導体レーザーバー２０（発光素子）の長手方向に対し、空洞部Ｓやスペーサー３０、７０の断面形状をほぼ同一とすることが可能であるため、ほぼ同一断面形状を有する冷却流路２８を形成することが可能となる。したがって、半導体レーザーバー２０（発光素子）直下の領域Ｇにおいて、半導体レーザーバー２０（発光素子）の長手方向に対し、冷却水の流速や温度、乱れを均一にできる。つまり、半導体レーザーバー２０（発光素子）を均一に冷却することが可能となる。半導体レーザーバー２０の長手方向に対し、冷却流路２８の断面形状が異なると、半導体レーザーバー２０を均一に冷却することが困難になり、温度分布が生じる。半導体レーザーバー２０の内部に温度分布が生じると、熱応力の発生原因となり、半導体レーザーバー２０の劣化要因となる。本発明に係るヒートシンク１０、６０は、このような問題を解決することができる。
【図面の簡単な説明】
【０１１３】
【図１】第１実施例に係るヒートシンクの概略斜視図
【図２】第１実施例に係るヒートシンクの概略背面図
【図３】図２のＩ−Ｉ線矢視概略断面図
【図４】（Ａ）第１実施例に係るスペーサーの概略側断面図、（Ｂ）第１実施例に係るスペーサーの概略平面図
【図５】（Ａ）第１実施例に係る別のヒートシンクの概略背面図、（Ｂ）第１実施例に係る別のヒートシンクの構成を示す概略側断面図
【図６】第１実施例に係るヒートシンクの概略側断面図
【図７】第１実施例に係るヒートシンクの要部を示す一部拡大概略側断面図
【図８】第１実施例に係るヒートシンクにおいて順方向流れと逆方向流れの温度上昇量の比を示すグラフ
【図９】（Ａ）第２実施例に係るヒートシンクの概略側断面図、（Ｂ）第２実施例に係るヒートシンクの要部を示す一部拡大概略側断面図
【図１０】第２実施例に係るヒートシンクにおいて流路比に対する圧力損失の比と温度上昇量の比を示すグラフ
【図１１】（Ａ）第３実施例に係るヒートシンクの概略側断面図、（Ｂ）第３実施例に係るヒートシンクの要部を示す一部拡大概略側断面図
【図１２】第３実施例に係るヒートシンクにおいて突出部の傾斜角に対する温度上昇量の比を示すグラフ
【図１３】（Ａ）第４実施例に係るヒートシンクの概略側断面図、（Ｂ）第４実施例に係るヒートシンクの要部を示す一部拡大概略側断面図
【図１４】第４実施例に係るヒートシンクにおいて肉厚の比に対する圧力損失の比と温度上昇量の比を示すグラフ
【図１５】（Ａ）第４実施例に係るヒートシンクの要部を示す一部拡大概略側断面図、（Ｂ）第４実施例に係るヒートシンクの要部を示す一部拡大概略側断面図
【図１６】第５実施例に係るヒートシンクの概略側断面図
【図１７】第５実施例に係るヒートシンクにおいてスペーサーの上面傾斜角に対する圧力損失の比と温度上昇量の比を示すグラフ
【図１８】（Ａ）第６実施例に係るヒートシンクの概略側断面図、（Ｂ）第６実施例に係るヒートシンクの要部を示す一部拡大概略側断面図
【図１９】第６実施例に係るヒートシンクにおいてステップ比に対する温度上昇量の比を示すグラフ
【図２０】第７実施例に係るヒートシンクの概略側断面図
【図２１】第８実施例に係るヒートシンクの概略斜視図
【図２２】第８実施例に係るヒートシンクの概略側断面図
【図２３】第８実施例に係るヒートシンクの構成を示す概略側断面図
【図２４】第８実施例に係る別のヒートシンクの概略斜視図
【図２５】第８実施例に係る別のヒートシンクの構成を示す概略側断面図
【図２６】第８実施例に係るヒートシンクの要部を示す一部拡大概略側断面図
【図２７】第９実施例に係るヒートシンクの要部を示す一部拡大概略側断面図
【図２８】第９実施例に係るヒートシンクにおいて流路比に対する圧力損失の比と温度上昇量の比を示すグラフ
【図２９】第９実施例に係るヒートシンクの要部を示す一部拡大概略側断面図
【図３０】第９実施例に係るヒートシンクにおいて流路比に対する乱れを示すグラフ
【図３１】（Ａ）第９実施例に係るヒートシンクの要部を示す一部拡大概略側断面図、（Ｂ）第９実施例に係るヒートシンクの要部を示す一部拡大概略側断面図
【図３２】第１０実施例に係るヒートシンクの要部を示す一部拡大概略側断面図
【図３３】第１０実施例に係るヒートシンクにおいて流路比に対する温度上昇量を示すグラフ
【図３４】第１０実施例に係るヒートシンクの要部を示す一部拡大概略側断面図
【図３５】第１１実施例に係るヒートシンクの要部を示す一部拡大概略側断面図
【図３６】第１１実施例に係るヒートシンクにおいて流路比に対する圧力損失の比と温度上昇量の比を示すグラフ
【図３７】第１２実施例に係るヒートシンクの要部を示す一部拡大概略側断面図
【図３８】図３７のＩＩ−ＩＩ線矢視概略断面図
【図３９】第１２実施例に係る別のヒートシンクの要部を示す一部拡大概略側断面図
【符号の説明】
【０１１４】
１０、６０  ヒートシンク
１２、６２  筐体
１４  蓋体
１６、７２  流入口
１８、７４  流出口
２０  半導体レーザーバー（発熱体）
２２  サブマウント
２４  絶縁板
２６  集光系
２８  冷却流路
３０、７０  スペーサー
３２  側板
３４  流路形成部
３６  鉛直流路形成面
３８  水平流路形成面
４０、８０  面取り部
４２  第１流路屈曲部
４４  第２流路屈曲部
４６、８８  流路縮小部
４８  第３流路屈曲部
５０  突出部
５２  肉厚増加部
５４  流路拡大部
５６  ステップ部
５８  流入部
７６  第１熱拡散領域
７８  第２熱拡散領域
８２  流入部流路
８４  冷却部流路
８６  流出部流路
９０  フィン
【図１】
2007150203.tif 000003
【図２】
2007150203.tif 000004
【図３】
2007150203.tif 000005
【図４】
2007150203.tif 000006
【図５】
2007150203.tif 000007
【図６】
2007150203.tif 000008
【図７】
2007150203.tif 000009
【図８】
2007150203.tif 000010
【図９】
2007150203.tif 000011
【図１０】
2007150203.tif 000012
【図１１】
2007150203.tif 000013
【図１２】
2007150203.tif 000014
【図１３】
2007150203.tif 000015
【図１４】
2007150203.tif 000016
【図１５】
2007150203.tif 000017
【図１６】
2007150203.tif 000018
【図１７】
2007150203.tif 000019
【図１８】
2007150203.tif 000020
【図１９】
2007150203.tif 000021
【図２０】
2007150203.tif 000022
【図２１】
2007150203.tif 000023
【図２２】
2007150203.tif 000024
【図２３】
2007150203.tif 000025
【図２４】
2007150203.tif 000026
【図２５】
2007150203.tif 000027
【図２６】
2007150203.tif 000028
【図２７】
2007150203.tif 000029
【図２８】
2007150203.tif 000030
【図２９】
2007150203.tif 000031
【図３０】
2007150203.tif 000032
【図３１】
2007150203.tif 000033
【図３２】
2007150203.tif 000034
【図３３】
2007150203.tif 000035
【図３４】
2007150203.tif 000036
【図３５】
2007150203.tif 000037
【図３６】
2007150203.tif 000038
【図３７】
2007150203.tif 000039
【図３８】
2007150203.tif 000040
【図３９】
2007150203.tif 000041